(57)【要約】【課題】本発明は、上面側から見てもその特性値を知ることが可能であるとともに、ケースの上面にその特性値を表示するための製造コストを抑えることが可能なコンデンサを提供することを目的とする。【解決手段】本発明に係る電解コンデンサ１は、電解コンデンサ素子をケース１１に収納し、ケース１１の上面１１ａには、その上面１１ａの中心で垂直に交差する直線状の第１及び第２の防爆用溝部１６、１７によって形成される４つの防爆弁１８ａ〜１８ｄが設けられているとともに、電解コンデンサ１に連続して印加できる上限電圧値を表す第１の溝１９が、第１の防爆用溝部１６の一端と中心１５との間の第１の防爆用溝部１６の第１の線分部分１６ａのみに直角に交わるように形成され、更に、電解コンデンサ１の静電容量値を表す第２の溝２０が、第２の防爆用溝部１７の一端と中心１５との間の第２の防爆用溝部１７の第３の線分部分１７ａのみに直角に交わるように形成されている。【選択図】図２
2008010507.tif 000002
【特許請求の範囲】
【請求項１】
電解コンデンサ素子をケースに収納して成るコンデンサであって、
前記ケースの上面には、その上面の中心で垂直に交差する直線状の第１の防爆用溝部及び第２の防爆用溝部によって形成される４つの防爆弁が設けられているとともに、
前記コンデンサに連続して印加できる上限電圧値を表す単数または複数の第１の溝が、前記第１の防爆用溝部の一端と前記中心との間の前記第１の防爆用溝部の線分部分のみに直角に交わるように形成され、
更に、前記コンデンサの静電容量値を表す単数または複数の第２の溝が、前記第２の防爆用溝部の一端と前記中心との間の前記第２の防爆用溝部の線分部分のみに直角に交わるように形成されていることを特徴とするコンデンサ。
【請求項２】
前記第１の溝と前記第２の溝とを見分けるためのマーキング用の溝が、前記第１の防爆用溝部の一端と前記中心との間の前記第１の防爆用溝部の線分部分に交わるように設けられていることを特徴とする請求項１に記載のコンデンサ。
【請求項３】
前記上面には、前記コンデンサの静電容量値の誤差を表す単数または複数の第３の溝が、前記第１の防爆用溝部の他端と前記中心との間の前記第１の防爆用溝部の線分部分のみに直角に交わるように形成され、
更に、前記コンデンサを使用する際の上限温度値を表す単数または複数の第４の溝が、前記第２の防爆用溝部の他端と前記中心との間の前記第２の防爆用溝部の線分部分のみに直角に交わるように形成されていることを特徴とする請求項１に記載のコンデンサ。
【請求項４】
前記第１から第４の溝を見分けるためのマーキング用の溝が、前記第１の防爆用溝部の一端と前記中心との間の前記第１の防爆用溝部の線分部分に交わるように設けられていることを特徴とする請求項３に記載のコンデンサ。
【請求項５】
コンデンサ素子をケースに収納して成るコンデンサであって、
前記ケースの上面には、前記コンデンサの所定の特性値を表す少なくとも１つの線分の溝が形成されていることを特徴とするコンデンサ。
【請求項６】
前記ケースの上面には、少なくとも１つの防爆用溝部によって形成される防爆弁が設けられているとともに、前記溝が前記防爆用溝部に交わっていることを特徴とする請求項５に記載のコンデンサ。
【請求項７】
前記防爆用溝部は、前記上面で互いに交差する第１の防爆用溝部と第２の防爆用溝部とであり、
前記溝は、前記コンデンサの第１の特性値を表す単数または複数の第１の溝と、前記コンデンサの第２の特性値を表す単数または複数の第２の溝と、であり、
前記第１の溝は、前記第１の防爆用溝部の一端と、前記第１の防爆用溝部と前記第２の防爆用溝部との交差点と、の間で前記第１の防爆用溝部に交わり、
前記第２の溝は、前記第２の防爆用溝部の一端と前記交差点との間で、前記第２の防爆用溝部に交わることを特徴とする請求項６に記載のコンデンサ。
【請求項８】
前記溝は、前記コンデンサの第３の特性を表す単数また複数の第３の溝と、前記コンデンサの第４の特性を表す単数または複数の第４の溝と、であり、
前記第３の溝は、前記第１の防爆用溝部の他端と前記交差点との間で前記第１の防爆用溝部に交わり、
前記第４の溝は、前記第２の防爆用溝部の他端と前記交差点との間で前記第２の防爆用溝部に交わることを特徴とする請求項７に記載のコンデンサ。
【請求項９】
前記上面には、前記第１の溝及び前記第２の溝を見分けるためのマーキング用の溝が形成、或いは、前記第１の特性値及び前記第２の特性値がそれぞれ何であるかを表す記号が溝形成されていることを特徴とする請求項７に記載のコンデンサ。
【請求項１０】
前記上面には、前記第１から第４の溝を見分けるためのマーキング用の溝が形成、或いは、前記第１から第４の特性値がそれぞれ何であるかを表す記号が溝形成されていることを特徴とする請求項８に記載のコンデンサ。
【発明の詳細な説明】
【技術分野】
【０００１】
本発明は、ケースに収納して成る電解コンデンサなどのコンデンサに関するものである。
【背景技術】
【０００２】
従来より、電解コンデンサ８１は、図８に示すように、電荷が蓄積される電解コンデンサ素子（不図示）を収納し、アルミニウム等の金属から成るケース８２の上面８２ａの外周部及び側面８２ｂが薄い樹脂８３で覆われている。そして、電解コンデンサ８１の側面８２ｂを覆う樹脂８３には、電解コンデンサ８１に連続して印加できる上限電圧値８４ａ、電解コンデンサ８１の静電容量値８４ｂ、及び電解コンデンサ８１を使用する際の上限温度値８４ｃなどの電解コンデサ８１の特性値や２本のリード端子８５の極性（不図示）などが記載されている。
【０００３】
また、ケース８２の上面８２ａには、電解コンデンサ素子（不図示）の異常時に、電解液の分解によりガスが発生してケース８２の内部の圧力が上昇し、電解コンデンサ８１が爆発することを防ぐために、その爆発よりも先に破断してガスを逃がす４つの防爆弁８７を上面８２ａに形成するための溝である２つの防爆弁用溝部８６が設けられている。
【０００４】
そして、このような電解コンデンサ８１が、その他の電子部品とともにプリント配線基板（不図示）に取り付けられて使用される。
【０００５】
また、アルミニウムケースの上面（すなわち、天面）に極性表示記号、メーカー名、定格表示及び型番などの製品付帯表示が、印刷されたアルミニウム電解コンデンサが開示・提案されている（例えば、特許文献１を参照）。
【特許文献１】特開２０００−１９５７６２号公報
【発明の開示】
【発明が解決しようとする課題】
【０００６】
従来の電解コンデサ８１では、従来の電解コンデサ８１が多くの電子部品とともにプリント配線基板(不図示)に取り付けられたとき、側面８２ｂ上の樹脂８３のみに電解コンデンサ８１の特性値が記載されているため、上面側から見て従来の電解コンデサ８１の特性値を知ることは、困難であった。
【０００７】
一方、特許文献１に開示されたアルミニウム電解コンデンサであれば、そのアルミニウム電解コンデンサが多くの電子部品とともにプリント配線基板(不図示)に取り付けられたとき、ケースの上面にアルミニウム電解コンデンサの特性値が文字や数字で印刷されているため、その特性値を知ることが可能である。
【０００８】
しかしながら、特許文献１に開示されたアルミニウム電解コンデンサは、その特性値が金属から成るケースの上面に文字や数字で印刷された構成であるため、その印刷の製造コストが増加してしまう可能性があった。また、その特性値が金属から成るケースの上面に印刷されているため、印字が擦れて消えてしまう可能性があった。
【０００９】
本発明は、上記の課題に鑑み、上面側から見てもその特性値を知ることが可能であるとともに、ケースの上面にその特性値を表示するための製造コストを抑えることが可能なコンデンサを提供することを目的とする。
【課題を解決するための手段】
【００１０】
上記目的を達成するために、本発明に係るコンデンサは、電解コンデンサ素子をケースに収納して成るコンデンサであり、前記ケースの上面には、その上面の中心で垂直に交差する直線状の第１の防爆用溝部及び第２の防爆用溝部によって形成される４つの防爆弁が設けられているとともに、前記コンデンサに連続して印加できる上限電圧値（定格電圧値ともいう）を表す単数または複数の第１の溝が、前記第１の防爆用溝部の一端と前記中心との間の前記第１の防爆用溝部の線分部分のみに直角に交わるように形成され、更に、前記コンデンサの静電容量値を表す単数または複数の第２の溝が、前記第２の防爆用溝部の一端と前記中心との間の前記第２の防爆用溝部の線分部分のみに直角に交わるように形成された構成とされている。
【００１１】
このような構成とすることにより、コンデンサがプリント配線基板等に取り付けられ、ユーザがコンデンサを上面側から見た場合でも、コンデンサの定格電圧値や静電容量値を知ることが可能となる。また、コンデンサの定格電圧値や静電容量値が、ケースの上面に印刷でなく、それぞれ第１の溝及び第２の溝で表示されるため、コンデンサの製造コストを抑えることが可能となるとともに、コンデンサの定格電圧値や静電容量値の表示が擦れて消えてしまうことを防ぐことが可能となる。更には、上面側からコンデンサのこれらの特性値を簡単に確認できるため、コンデンサが取り付けられたプリント配線基板等を備えた電子機器の量産の作業効率を向上させることが可能となる。
【００１２】
また、上記構成から成るコンデンサにおいて、前記第１の溝と前記第２の溝とを見分けるためのマーキング用の溝が、前記第１の防爆用溝部の一端と前記中心との間の前記第１の防爆用溝部の線分部分に交わるように設けられてもよい。
【００１３】
このような構成とすることにより、ユーザは、前記第１の溝と前記第２の溝とを簡単に見分けることが可能となる。
【００１４】
また、上記構成から成るコンデンサにおいて、前記上面には、前記コンデンサの静電容量値の誤差を表す単数または複数の第３の溝が、前記第１の防爆用溝部の他端と前記中心との間の前記第１の防爆用溝部の線分部分のみに直角に交わるように形成され、更に、前記コンデンサを使用する際の上限温度値を表す単数または複数の第４の溝が、前記第２の防爆用溝部の他端と前記中心との間の前記第２の防爆用溝部の線分部分のみに直角に交わるように形成されてもよい。
【００１５】
このような構成とすることにより、コンデンサがプリント配線基板等に取り付けられ、ユーザがコンデンサを上面側から見た場合でも、コンデンサの特性値である定格電圧値、静電容量値、静電容量値の誤差、及び上限温度値を知ることが可能となる。また、コンデンサのこれらの特性値が、ケースの上面に印刷でなく、それぞれ第１から第４の溝で表示されるため、コンデンサの製造コストを抑えることが可能となるとともに、コンデンサのこれらの特性値の表示が擦れて消えてしまうことを防ぐことが可能となる。更には、上面側からコンデンサのこれらの特性値を簡単に確認できるため、コンデンサが取り付けられたプリント配線基板等を備えた電子機器の量産の作業効率を向上させることが可能となる。
【００１６】
また、上記構成から成る第１から第４の溝を備えたコンデサにおいて、前記第１から第４の溝を見分けるためのマーキング用の溝が、前記第１の防爆用溝部の一端と前記中心との間の前記第１の防爆用溝部の線分部分に交わるように設けられてもよい。
【００１７】
このような構成とすることにより、ユーザは、前記第１から第４の溝を簡単に見分けることが可能となる。
【００１８】
また、本発明に係るコンデンサは、コンデンサ素子をケースに収納して成るコンデンサであり、前記ケースの上面には、前記コンデンサの所定の特性値を表す少なくとも１つの線分の溝が形成された構成とされている。
【００１９】
このような構成とすることにより、コンデンサがプリント配線基板等に取り付けられ、ユーザがコンデンサを上面側から見た場合でも、コンデンサの所定の特性値を知ることが可能となる。また、コンデンサの所定の特性値が、ケースの上面に印刷でなく、溝で表示されるため、コンデンサの製造コストを抑えることが可能となるとともに、コンデンサの特性値の表示が擦れて消えてしまうことを防ぐことが可能となる。更には、上面側からコンデンサのこれらの特性値を簡単に確認できるため、コンデンサが取り付けられたプリント配線基板等を備えた電子機器の量産の作業効率を向上させることが可能となる。
【００２０】
上記構成から成るコンデンサにおいて、前記ケースの上面には、少なくとも１つの防爆用溝部によって形成される防爆弁が設けられているとともに、前記溝が前記防爆用溝部に交わっている構成とされている。
【００２１】
このような構成とすることにより、ユーザが、防爆弁を形成するための防爆用溝部がない場合よりも、溝を簡単に見分けることが可能となる。
【００２２】
上記構成から成るコンデンサにおいて、前記防爆用溝部は、前記上面で互いに交差する第１の防爆用溝部と第２の防爆用溝部とであり、前記溝は、前記コンデンサの第１の特性値を表す単数または複数の第１の溝と、前記コンデンサの第２の特性値を表す単数または複数の第２の溝と、であり、前記第１の溝は、前記第１の防爆用溝部の一端と、前記第１の防爆用溝部と前記第２の防爆用溝部との交差点と、の間で前記第１の防爆用溝部に交わり、前記第２の溝は、前記第２の防爆用溝部の一端と前記交差点との間で、前記第２の防爆用溝部に交わる構成とされている。
【００２３】
このような構成とすることにより、コンデンサがプリント配線基板等に取り付けられ、ユーザがコンデンサを上面側から見た場合でも、コンデンサの第１の特性値や第２の特性値を知ることが可能となる。また、コンデンサの第１の特性値や第２の特性値が、ケースの上面に印刷でなく、それぞれ第１の溝及び第２の溝で表示されるため、コンデンサの製造コストを抑えることが可能となるとともに、コンデンサの第１の特性値や第２の特性値の表示が擦れて消えてしまうことを防ぐことが可能となる。更には、上面側からコンデンサのこれらの特性値を簡単に確認できるため、コンデンサが取り付けられたプリント配線基板等を備えた電子機器の量産の作業効率を向上させることが可能となる。
【００２４】
上記構成から成るコンデンサにおいて、前記溝は、前記コンデンサの第３の特性を表す単数また複数の第３の溝と、前記コンデンサの第４の特性を表す単数または複数の第４の溝と、であり、前記第３の溝は、前記第１の防爆用溝部の他端と前記交差点との間で前記第１の防爆用溝部に交わり、前記第４の溝は、前記第２の防爆用溝部の他端と前記交差点との間で前記第２の防爆用溝部に交わる構成とされている。
【００２５】
このような構成とすることにより、コンデンサがプリント配線基板等に取り付けられ、ユーザがコンデンサを上面側から見た場合でも、コンデンサのこれらの特性値を知ることが可能となる。
【００２６】
また、上記構成から成る第１及び第２の溝を備えたコンデサにおいて、前記上面には、前記第１の溝及び前記第２の溝を見分けるためのマーキング用の溝が形成、或いは、前記第１の特性値及び前記第２の特性値がそれぞれ何であるかを表す記号が溝形成されてもよい。
【００２７】
このような構成とすることにより、ユーザは、前記第１の溝及び第２の溝を簡単に見分けることが可能となる。また、記号が形成されている場合には、ユーザは、前記第１の溝及び前記第２の溝にそれぞれ対応する前記第１の特性値及び前記第２の特性値が、何であるかを知ることが可能となる。
【００２８】
また、上記構成から成る第１から第４の溝を備えたコンデサにおいて、前記上面には、前記第１から第４の溝を見分けるためのマーキング用の溝が形成、或いは、前記第１から第４の特性値がそれぞれ何であるかを表す記号が溝形成されてもよい。
【００２９】
このような構成とすることにより、ユーザは、前記第１から第４の溝を簡単に見分けることが可能となる。また、記号が形成されている場合には、ユーザは、前記第１から第４の溝にそれぞれ対応する前記第１から第４の特性値が、何であるかを知ることが可能となる。
【発明の効果】
【００３０】
上記したように、本発明に係るコンデンサであれば、コンデンサがプリント配線基板等に取り付けられた場合でも、コンデンサを上面から見て、その定格値を知ることが可能となるとともに、ケースの上面にその定格値を表示するための製造コストを抑えることが可能となる。
【発明を実施するための最良の形態】
【００３１】
以下、本発明の第１実施形態について図面を参照し説明する。図１は、本発明に係る電解コンデンサの一例を示す模式的な斜視図である。図２は、第１実施形態の電解コンデンサの上面の一例を模式的に示す図である。なお、図２では、第１の溝１９及び第２の溝２０の数は、説明の便宜上、それぞれ複数記載してあるが、単数でもよい。
【００３２】
本実施形態の電解コンデンサ１は、図１に示すように、電解コンデンサ素子（不図示）を収納するとともに、アルミニウム等の金属から成り、円形状の上面１１ａと円筒状の側面１１ｂと備えた円柱状のケース１１と、そのケース１１の内部に収納され、電荷を蓄積するための電解コンデンサ素子（不図示）と、ケース１１の上面１１ａの外周部、及びケース１１の側面１１ｂを覆う薄い樹脂１３と、を備えている。
【００３３】
また、電解コンデンサ素子（不図示）には、２本のリード端子１２が電気的に接続され、ケース１１の下方側の開口部１１を塞いでいる絶縁部材（不図示）を貫通してケース１１の外部に引き出されている。そして、このような電解コンデンサ１のケース１１は、絶縁部材（不図示）により密閉された状態となっている。
【００３４】
このような電解コンデンサ１の側面１１ｂを覆う樹脂１３には、電解コンデンサ１に連続して印加できる上限電圧値１４ａ（定格電圧値ともいう）、電解コンデンサ１の静電容量値１４ｂ、及び電解コンデンサ１の使用時における上限温度値１４ｃなどの電解コンデサ１の特性値や２本のリード端子１２の極性（不図示）などが記載されている。なお、電解コンデンサ１の上限温度値とは、電解コンデンサ１の使用時に、電解コンデンサ１がその仕様通りに機能する上限の温度値である。
【００３５】
また、ケース１１の上面１１ａには、上面１１ａの中心１５で互いに垂直に交差し、上面１１ａに４つの防爆弁１８ａ〜１８ｄを設けるための直線状の溝である第１の防爆用溝部１６及び第２の防爆用溝部１７が形成されている。なお、防爆弁１８ａ〜１８ｄは、電解コンデンサ素子（不図示）の異常時に、電解液の分解によりガスが発生してケース１１の内部の圧力が上昇して電解コンデンサ１が爆発することを防ぐために、その爆発よりも先に破断してガスを逃がすためのものである。
【００３６】
また、ケース１１の上面１１ａには、図２に示すように、図２の紙面の上方側で、第１の防爆用溝部１６の一端と中心１５との間の第１の防爆用溝部１６の第１の線分部分１６ａに垂直に交わる第１の溝１９が複数設けられている。一方、図２の紙面の下方側で、第１の防爆用溝部１６の他端と中心１５との間の第１の防爆用溝部１６の第２の線分部分１６ｂに垂直に交わる溝は設けられていない。
【００３７】
また、ケース１１の上面１１ａには、図２に示すように、図２の紙面の上方側で、第２の防爆用溝部１７の一端と中心１５との間の第２の防爆用溝部１７の第３の線分部分１７ａに垂直に交わる第２の溝２０が複数設けられている。一方、図２の紙面の下方側で、第２の防爆用溝部１７の他端と中心１５との間の第２の防爆用溝部１７の第３の線分部分１７ｂに垂直に交わる溝は設けられていない。
【００３８】
また、本実施形態の電解コンデンサ１において、第１の溝１９の数及び第２の溝２０の数は、後述するように、それぞれ電解コンデンサ１の定格電圧値及び電解コンデンサ１の静電容量値に対応することが予め決められている。なお、電解コンデンサ１の定格電圧値及びその静電容量値は、電解コンデンサ１の特性値である。
【００３９】
また、第１の防爆用溝部１６、第２の防爆用溝部１７、第１の溝１９、及び第２の溝２０は、電解コンデンサ１の製造時において、同じ工程でプレス機や溝形成機等で形成されたものである。
【００４０】
そして、このように形成されて成る電解コンデンサ１のリード端子１２が、プリント配線基板（不図示）に取り付けられて使用される。
【００４１】
次に、第１実施形態の電解コンデンサ１おいて、第１の溝１９の数と電解コンデンサ１の定格電圧値の関係、及び第２の溝２０の数と電解コンデンサ１の静電容量値の関係について以下に図を参照して説明を行う。図３は、電解コンデンサ１における第１の溝１９の数と定格電圧値の関係の一例を示す表である。図４は、電解コンデンサ１における第２の溝２０の数と静電容量値の関係の一例を示す表である。なお、図３及び図４は、電解コンデンサ１の仕様書に記載されている。
【００４２】
まず、電解コンデンサ１において、第１の溝１９の数と電解コンデンサ１の定格電圧値の関係について図２及び図３を参照して以下に説明を行う。電解コンデンサ１の定格電圧値の規格は、一般的に標準規格として決められているが、例えば、図３に示すように、最小の定格電圧値から順に６．３Ｖ、１０Ｖ、１６Ｖ、２５Ｖ、３５Ｖ、５０Ｖ・・・と決められているものとする。そして、図３に示すように、電解コンデンサ１の定格電圧値が、最小値６．３Ｖから１段階増加するごとに、第１の溝１９の数を１本ずつ増加させて電解コンデンサ１の定格電圧値を表示することが予め決められている。
【００４３】
よって、図２に示す電解コンデンサ１の定格電圧値は、第１の溝１９の数が６本なので、図３から５０Ｖであることが分かる。
【００４４】
続いて、第２の溝２０の数と電解コンデンサ１の静電容量値の関係について図２及び図４を参照して以下に説明を行う。電解コンデンサ１の静電容量値の規格は、一般的に標準規格として決められているが、例えば、図４に示すように、最小の静電容量値から順に０．４７μＦ、１μＦ、２．２μＦ、３．３μＦ、４．７μＦ、１０μＦ、２２μＦ、３３μＦ・・・と決められているものとする。そして、図４に示すように、電解コンデンサ１の静電容量値が、最小値０．４７μＦから１段階増加するごとに、第２の溝２０の数を１本ずつ増加させて電解コンデンサ１の静電容量値を表示することが予め決められている。
【００４５】
よって、図２に示す電解コンデンサ１の静電容量値は、第２の溝２０の数が６本なので、図４から１０μＦであることが分かる。
【００４６】
また、本実施形態の電解コンデンサ１の仕様書（不図示）には、図２〜図４とともに、第１の溝１９及び第２の溝２０が上方側（すなわち、第１の溝１９及び第２の溝２０が図２の紙面での上方側）になるようにして上面１１ａを見たときに、左側にある第１の溝１９の数が、電解コンデンサ１の定格電圧値に対応すること、及び右側にある第２の溝２０の数が、電解コンデンサ１の静電容量値に対応することが記載されている。これにより、ユーザは、この電解コンデンサ１の仕様書を確認すれば、第１の溝１９及び第２の溝２０のそれぞれが、電解コンデンサ１の特性値である定格電圧値及び静電容量のいずれに対応するか認識することができる。
【００４７】
なお、第１の溝１９及び第２の溝２０をユーザが見分けやすいように、第１の溝１９と第２の溝２０との間で、溝の長さ、太さ及び形状等を異ならせてもよい。
【００４８】
また、第１の溝１９及び第２の溝２０をユーザが見分けやすいように、第１の防爆用溝部１６の第１の線分部分１６ａに交わるように、第２の防爆用溝部１７の第３の線分部分１７ａに交わるように、第１の溝１９の近傍に、或いは、第２の溝１９の近傍に、第１の溝１９及び第２の溝２０と異なる形状のマーキング用の溝を設けてもよい。なお、マーキング用の溝は、第１の溝１９及び第２の溝２０をユーザが見分けられるように形成されていればよい。例えば、第１の防爆用溝部１６の第１の線分部分１６ａに交わるようにマーキング用の溝を設けた場合には、マーキング用の溝ある側が第１の溝１９であり、第１の溝１９の隣が第２の溝２０であることを電解コンデサ１の仕様書に記載するとよい。
【００４９】
また、ユーザが、第１の溝１９及び第２の溝２０を見分けやすく、かつ、第１の溝１９及び第２の溝２０がそれぞれどのような特性値に対応しているのか分かりやすいように、シンボリックな記号が、第１の溝１９及び第２の溝２０の近傍に溝形成されてもよい。例えば、第１の溝１９の近傍には、第１の溝１９が電解コンデンサ１の定格電圧値に対応するため、Ｖの記号が溝形成され、第２の溝２０の近傍には、第２の溝２０が電解コンデンサ１の静電容量値に対応するため、Ｃの記号が溝形成されてもよい。
【００５０】
上記で説明したように、第１実施形態の電解コンデンサ１であれば、電解コンデンサ１の定格電圧値を表す第１の溝１９及び静電容量値を表す第２の溝２０が、ケース１１の上面１１ａに形成されているため、電解コンデンサ１がプリント配線基板等に取り付けられ、ユーザが電荷コンデンサ１を上面側から見た場合でも、電解コンデンサ１の定格電圧値や静電容量値を知ることが可能となる。また、電解コンデンサ１の定格電圧値や静電容量値が、ケース１１の上面１１ａに印刷でなく、それぞれ第１の溝１９及び第２の溝２０で表示されるため、電解コンデンサ１の製造コストを抑えることが可能となるとともに、電解コンデンサ１の定格電圧値や静電容量値の表示が擦れて消えてしまうことを防ぐことが可能となる。更には、上面側から電解コンデンサ１のこれらの特性値を簡単に確認できるため、電解コンデンサ１が取り付けられたプリント配線基板等を備えた電子機器の量産の作業効率を向上させることが可能となる。
【００５１】
なお、上記第１実施形態では、第１の溝１９及び第２の溝２０が、第１の防爆用溝部１６及び第２の防爆用溝部１７と同じ工程でケース１１の上面１１ａに形成されると述べたが、これに限定されない。第１の溝１９及び第２の溝２０が、第１の防爆用溝部１６及び第２の防爆用溝部１７と同じ工程で形成される時よりも若干製造コストが上がるかもしれないが、第１の溝１９及び第２の溝２０が、第１の防爆用溝部１６及び第２の防爆用溝部１７と別工程で形成されてもよい。
【００５２】
次に、本発明に係る電解コンデンサ１の第２実施形態について以下に説明を行う。図５は、第２実施形態の電解コンデンサ１の上面１１ａの一例を模式的に示す上面図である。なお、第２実施形態の電解コンデンサ１の構成において、図５に示す第３の溝２１及び第４の溝２２以外は、第１実施形態の構成と同様であるため、第１実施形態と同じものについては同一符号を用い、その説明は省略する。また、図５では、第３の溝２１及び第４の溝２２の数は、説明の便宜上、それぞれ複数記載してあるが、単数でもよい。
【００５３】
第２実施形態の電解コンデサ１において、ケース１１の上面１１ａには、図５に示すように、第１実施形態で説明した第１の溝１９及び第２の溝２０のほかに、図５の紙面の下方側で、第１の防爆用溝部１６の第２の線分部分１６ｂと垂直に交わる第３の溝２１が複数設けられている。また、図５の紙面の下方側で、第２の防爆用溝部１７の第４の線分部分１７ｂと垂直に交わる第４の溝２２が複数設けられている。また、第３の溝２１及び第４の溝２２の長さは、図５に示すように、ユーザが第１の溝１９及び第２の溝２０と見分けやすいように、第１の溝１９及び第２の溝２０よりも長く形成されている。
【００５４】
また、本実施形態の電解コンデンサ１において、第３の溝２１の数及び第４の溝２２の数は、後述するように、それぞれ電解コンデンサ１の静電容量値の誤差及び電解コンデンサ１の上限温度値に対応することが予め決められている。なお、電解コンデンサ１の静電容量値の誤差及びその上限温度値は、電解コンデンサ１の特性値である。
【００５５】
また、第１の防爆用溝部１６、第２の防爆用溝部１７、及び第１〜第４の溝１９〜２２は、電解コンデンサ１の製造時において、同じ工程でプレス機や溝形成機等で形成されたものである。
【００５６】
そして、このように形成されて成る電解コンデンサ１のリード端子１２が、プリント配線基板（不図示）に取り付けられて使用される。
【００５７】
次に、第２実施形態の電解コンデンサ１おいて、第３の溝２１の数と電解コンデンサ１の静電容量値の誤差の関係、及び第４の溝２２の数と電解コンデンサ１の上限温度値の関係について以下に図を参照して説明を行う。図６は、電解コンデンサ１における第３の溝２１の数と静電容量値の誤差の関係の一例を示す表である。図７は、電解コンデンサ１における第４の溝２２の数と上限温度値の関係の一例を示す表である。なお、図６及び図７は、前述した図３及び図４とともに、本実施形態の電解コンデンサ１の仕様書に記載されている。
【００５８】
まず、電解コンデンサ１において、第３の溝２１の数と電解コンデンサ１の静電容量値の誤差の関係について図５及び図６を参照して以下に説明を行う。電解コンデンサ１の静電容量値の誤差の規格は、例えば、図６に示すように、最小の静電容量値の誤差から順に±１．０％、±２．０％、±３．０％、±４．０％、±５．０％、±６．０％・・・と決められているものとする。そして、図６に示すように、電解コンデンサ１の静電容量値の誤差が、最小値±１．０％から１段階増加するごとに、第３の溝２１の数を１本ずつ増加させて電解コンデンサ１の静電容量値の誤差を表示することが予め決められている。
【００５９】
よって、図５に示す電解コンデンサ１の静電容量値の誤差は、第３の溝２１の数が６本なので、図６から±６．０％であることが分かる。
【００６０】
続いて、第４の溝２２の数と電解コンデンサ１の上限温度値の関係について図５及び図７を参照して以下に説明を行う。電解コンデンサ１の上限温度値の規格は、例えば、図７に示すように、最小の上限温度値から順に５５℃、８５℃、１０５℃、１２５℃、１５５℃、１８５℃・・・と決められているものとする。そして、図７に示すように、電解コンデンサの上限温度値が、最小値５５℃から１段階増加するごとに、第４の溝２２の数を１本ずつ増加させて電解コンデンサ１の上限温度値を表示することが予め決められている。
【００６１】
よって、図５に示す電解コンデンサ１の上限温度値は、第４の溝２２の数が６本なので、図７から１８５℃であることが分かる。
【００６２】
また、本実施形態の電解コンデンサ１の仕様書（不図示）には、図３〜図７とともに、第１の溝１９及び第２の溝２０が上方側（すなわち、第１の溝１９及び第２の溝２０が図２の紙面での上方側）になるようにして上面１１ａを見たときに、上方左側にある第１の溝１９の数が、電解コンデンサ１の定格電圧値に対応すること、上方右側にある第２の溝２０の数が、電解コンデンサ１の静電容量値に対応すること、下方右側にある第３の溝２１の数が、電解コンデンサ１の静電容量値の誤差に対応すること、及び下方左側にある第４の溝の数が、電解コンデンサ１の上限温度値に対応することが記載されている。これにより、ユーザは、この電解コンデンサ１の仕様書を確認すれば、第１〜第４の溝１９〜２２のそれぞれが、電解コンデンサ１の特性値である定格電圧値、静電容量値、静電容量値の誤差、及び上限温度値のいずれに対応するか認識することができる。
【００６３】
なお、第１〜第４の溝１９〜２２をユーザが見分けやすいように、第１〜第４の溝１９〜２２間で、溝の長さ、太さ及び形状等を調整して異ならせてもよい。
【００６４】
また、第１〜第４の溝１９〜２２をユーザが見分けやすいように、第１の防爆用溝部１６及び第２の防爆用溝部における第１〜第４の線分部分１６ａ、１６ｂ、１７ａ、１７ｂのうち、いずれかに交わるように、或いは、第１〜第４の溝１９〜２２のいずれかの近傍に、第１〜第４の溝１９〜２２と異なる形状のマーキング用の溝を設けてもよい。なお、マーキング用の溝は、第１〜第４の溝１９〜２２をユーザが見分けられるように形成されていればよい。例えば、第１の防爆用溝部１６の第１の線分部分１６ａに交わるようにマーキング用の溝を設けた場合には、第１の溝１９から時計周りに第２の溝２０、第３の溝２１、第４の溝２２であることを電解コンデサ１の仕様書に記載するとよい。
【００６５】
また、ユーザが、第１〜第４の溝１９〜２２を見分けやすく、かつ、第１から第４の溝１９〜２２がそれぞれどのような特性値に対応しているのか分かりやすいように、シンボリックな記号が、第１〜第４の溝１９〜２２の近傍に溝形成されてもよい。例えば、第１の溝１９の近傍には、第１の溝１９が電解コンデンサ１の定格電圧値に対応するため、Ｖの記号、第２の溝２０の近傍には、第２の溝２０が電解コンデンサ１の静電容量値に対応するため、Ｃの記号、第３の溝２１の近傍には、第３の溝２１が電解コンデンサ１の静電容量値の誤差に対応するため、±Ｃの記号、及び第４の溝２２の近傍には、第４の溝２２が電解コンデンサ１の上限温度値に対応するため、Ｔの記号が溝形成されてもよい。
【００６６】
上記で説明したように、第２実施形態の電解コンデンサ１であれば、電解コンデンサ１の定格電圧値を表す第１の溝１９、その静電容量値を表す第２の溝２０、その静電容量値の誤差を表す第３の溝２１、及びその上限温度値を表す第４の溝２２が、ケース１１の上面１１ａに形成されているため、電解コンデンサ１がプリント配線基板等に取り付けられ、ユーザが電荷コンデンサ１を上面側から見た場合でも、電解コンデンサ１の特性値である定格電圧値、静電容量値、静電容量値の誤差、及び上限温度値を知ることが可能となる。また、電解コンデンサ１のこれらの特性値が、ケース１１の上面１１ａに印刷でなく、それぞれ第１〜第４の溝１９〜２２で表示されるため、電解コンデンサ１の製造コストを抑えることが可能となるとともに、電解コンデンサ１のこれらの特性値の表示が擦れて消えてしまうことを防ぐことが可能となる。更には、上面側から電解コンデンサ１のこれらの特性値を簡単に確認できるため、電解コンデンサ１が取り付けられたプリント配線基板等を備えた電子機器の量産の作業効率を向上させることが可能となる。
【００６７】
なお、上記第２実施形態では、第１〜第４の溝１９〜２２が、第１の防爆用溝部１６及び第２の防爆用溝部１７と同じ工程でケース１１の上面１１ａに形成されると述べたが、これに限定されない。第１〜第４の溝１９〜２２が、第１の防爆用溝部１６及び第２の防爆用溝部１７と同じ工程で形成される時よりも若干製造コストが上がるかもしれないが、第１〜第４の溝１９〜２２が、第１の防爆用溝部１６及び第２の防爆用溝部１７と別工程で形成されてもよい。
【００６８】
また、上記の各実施形態では、電解コンデンサ１の各特性値に合わせて、第１〜第４の溝１９〜２２の数を１本ずつ変更していたが、必ずしもこのような構成にする必要はなく、第１〜第４の溝１９〜２２において、特性値の１段階分を１本で表す溝とは異なる形状で、かつ、特性値の所定段階分を１本で表す溝と、特性値の１段階分を１本で表す溝と、を用いて電解コンデンサ１の各特性値を表示してもよい。例えば、電解コンデンサ１の定格電圧値５０Ｖを表示する場合には、定格電圧値の５段階分を表す１本の溝を定格電圧値の１段階分を表す溝よりも長い溝とし、図３から定格電圧値の５段階分を表す長い溝の１本と、この溝よりも短い定格電圧値の１段階分を表す溝の１本とで、表示するようにしてもよい。これにより、第１〜第４の溝１９〜２２の数を減らして電解コンデンサ１の各特性値を表示することが可能となり、ユーザは簡単に各特性値を認識することができる。
【００６９】
また、各実施形態において、図４に示すように、電解コンデンサ１の静電容量値は、４段階ごと（すなわち、第２の溝２０の４本単位ごと）に、その値が１０倍になって繰り返されている。そこで、静電容量値の１段階分を表す溝とは異なる形状で、かつ、静電容量値の４段階分を１本で表す溝と、静電容量値の１段階分を表す１本の溝と、を用いて電解コンデンサ１の静電容量値を表示してもよい。例えば、静電容量値が４．７μＦを表示する場合には、図４から静電容量値の４段階分を表す長い溝の１本と、この溝よりも短い静電容量値の１段階分を表す１本の溝とで、表示するようにしてもよい。これにより、第２の溝２０の数を減らして静電容量値を表示することが可能となり、ユーザは簡単に静電容量値を認識することができる。
【００７０】
また、上記の各実施形態において、第１の防爆用溝部１６及び第２の防爆用溝部１７は、ケース１１の上面１１ａの中心１５で互いに垂直に交差する構成であったが、これに限定される必要はなく、第１の防爆用溝部１６及び第２の防爆用溝部１７は、ケース１１の上面１１ａの中心１５以外で互いに交差していてもよい。このとき、第１の防爆用溝部１６及び第２の防爆用溝部１７は、電解コンデンサ１の特性値を表示するための溝が、その特性値を表示することができるように考慮されて互いに交差されるとよい。
【００７１】
また、上記各実施形態では、前述したように、ケース１１の上面１１ａに防爆弁を設けるための第１の防爆用溝部１６及び第２の防爆用溝部１７に電解コンデンサ１の特性値を表示するための第１〜第４の溝１９〜２２といった溝が交わるように形成されていたが、必ずしもこれに限定される必要はなく、ケース１１の上面１１ａに防爆弁を設けるための防爆用溝部が、少なくとも１つ形成され、かつ、電解コンデンサ１の特性値を表示するための溝が、その少なくとも１つ形成された防爆用溝部に交わるように形成されてもよい。すなわち、電解コンデンサには、防爆弁を形成するための少なくとも１つの防爆用溝部と、電解コンデンサの所定の特性値を表すためのその防爆用溝部に交わる少なくとも１つの線分の溝と、がケース１１の上面１１ａに形成されてもよい。
【００７２】
また、上記の各実施形態では、ケース１１の上面１１ａに防爆弁用溝部が形成された構成であったが、この防爆弁用溝部が形成されていなくてもよい。防爆弁用溝部が形成されていない場合に比べて防爆弁用溝部が形成されているほうが、上面１１ａに形成された電解コンデンサ１の各特性値を表示するための各溝（第１〜第４の溝１９〜２２）の位置が分かりやすい。電解コンデンサ１のおけるケース１１の上面１１ａに防爆弁用溝部が形成されていない場合には、電荷コンデンサ１の特性値を表示するための溝がケース１１の上面１１ａに形成されているため、電解コンデンサ１がプリント配線基板等に取り付けられ、ユーザが電荷コンデンサ１を上面側から見た場合でも、電解コンデンサ１の特性値を知ることが可能となる。また、電解コンデンサ１の特性値が、ケース１１の上面１１ａに印刷でなく、溝で表示されるため、電解コンデンサ１の製造コストを抑えることが可能となるとともに、電解コンデンサ１の特性値の表示が擦れて消えてしまうことを防ぐことが可能となる。
【００７３】
また、第１〜第４の溝１９〜２２のそれぞれの溝の深さは、ケース１１の内圧による破断強度に影響を与えない深さであればよい。
【００７４】
また、電解コンデンサ１の定格電圧値、静電容量値、静電容量値の誤差、及び上限温度値以外の特性値、例えば、電解コンデンサ１に瞬時に印加される上限電圧値、所謂、サージ電圧値が、上記と同様にそのケース１１の上面１１ａに表示されてもよい。
【００７５】
また、本発明の構成は、上記実施形態のほか、発明の主旨を逸脱しない範囲で種々の変更を加えることが可能である。
【産業上の利用可能性】
【００７６】
本発明は、上面を有したケースにコンデンサ素子を収納して成る電解コンデンサなどコンデンサに幅広く適用することが可能である。
【図面の簡単な説明】
【００７７】
【図１】は、本発明に係る電解コンデンサの一例を示す模式的な斜視図である。
【図２】は、第１実施形態の電解コンデンサの上面の一例を模式的に示す図である。
【図３】は、電解コンデンサ１における第１の溝１９の数と定格電圧値の関係の一例を示す表である。
【図４】は、電解コンデンサ１における第２の溝２０の数と静電容量値の関係の一例を示す表である。
【図５】は、第２実施形態の電解コンデンサ１の上面１１ａの一例を模式的に示す上面図である。
【図６】は、電解コンデンサ１における第３の溝２１の数と静電容量値の誤差の関係の一例を示す表である。
【図７】は、電解コンデンサ１における第４の溝２２の数と上限温度値の関係の一例を示す表である。
【図８】は、従来の電解コンデンサを模式的に示す図である。
【符号の説明】
【００７８】
１    電解コンデンサ
１１、８２    ケース
１１ａ、８２ａ    上面
１１ｂ    側面
１１ｃ    開口部
１２、８５    リード端子
１３、８３    樹脂
１４ａ、８４ａ    上限電圧値（定格電圧値）
１４ｂ、８４ｂ    静電容量値
１４ｃ、８４ｃ    上限温度値
１５    中心
１６    第１の防爆用溝部
１６ａ    第１の線分部分
１６ｂ    第２の線分部分
１７    第２の防爆用溝部
１７ａ    第３の線分部分
１７ｂ    第４の線分部分
１８ａ〜ｄ、８７    防爆弁
１９    第１の溝
２０    第２の溝
２１    第３の溝
２２    第４の溝
８１    従来の電解コンデンサ
８６    防爆弁用溝部
【図１】
2008010507.tif 000003
【図２】
2008010507.tif 000004
【図３】
2008010507.tif 000005
【図４】
2008010507.tif 000006
【図５】
2008010507.tif 000007
【図６】
2008010507.tif 000008
【図７】
2008010507.tif 000009
【図８】
2008010507.tif 000010